【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
外部装置と通信する第１の通信手段であって、前記第１の通信手段とは異なる第２の通信手段による前記外部装置との通信を確立するための通信パラメータを前記外部装置と共有する第１の通信手段と、
ユーザ操作を受け付ける受け付け手段と、
前記受け付け手段により受け付けられるユーザ操作に基づき設定される第１の通信パラメータおよび前記第１の通信手段により共有された第２の通信パラメータのいずれかを用いて前記外部装置と通信する第２の通信手段と、
前記第２の通信手段を用いた前記外部装置との通信で用いる通信パラメータを保持する保持手段と、
前記第１の通信手段により共有された前記第２の通信パラメータを前記保持手段に保持させる場合、前記受け付け手段により受け付けられるユーザ操作に基づき設定される前記第１の通信パラメータと区別して保持させるように制御する制御手段と、を有することを特徴とする通信装置。
【請求項２】
前記制御手段は、前記第２の通信パラメータを前記保持手段に保持させる場合、前記第１の通信パラメータを削除することなく保持させるように制御することを特徴とする請求項１に記載の通信装置。
【請求項３】
前記制御手段は、前記第１の通信パラメータを前記保持手段に保持させる場合、前記第２の通信パラメータを削除することなく保持させるように制御することを特徴とする請求項１または２に記載の通信装置。
【請求項４】
前記制御手段は、前記第１の通信パラメータを記録するための記録領域と、前記第２の通信パラメータを記録するための記録領域とを分けることで区別することを特徴とする請求項１から３のいずれか１項に記載の通信装置。
【請求項５】
新たに共有された第２の通信パラメータを前記保持手段に保持させる場合、前記制御手段は、既に保持されている第２の通信パラメータを自動的に上書きすることで、前記新たに共有された第２の通信パラメータを保持させるように制御することを特徴とする請求項１から４のいずれか１項に記載の通信装置。
【請求項６】
前記受け付け手段は、前記保持手段に保持されている前記第１の通信パラメータを削除する指示を受け付けることを特徴とする請求項１から５のいずれか１項に記載の通信装置。
【請求項７】
前記外部装置と共有する前記第２の通信パラメータは自動的にランダムな値を含むように、予め生成されることを特徴とする請求項１から６のいずれか１項に記載の通信装置。
【請求項８】
前記第２の通信パラメータは前記外部装置に前記第１の通信手段を介して送信されることを特徴とする請求項１から７のいずれか１項に記載の通信装置。
【請求項９】
前記第１の通信パラメータと前記第２の通信パラメータとで前記保持手段に保持させる数の上限が異なることを特徴とする請求項１から８のいずれか１項に記載の通信装置。
【請求項１０】
前記第２の通信パラメータを前記保持手段に保持させる数の上限は１であることを特徴とする請求項９に記載の通信装置。
【請求項１１】
前記第２の通信手段は、前記受け付け手段により受け付けられるユーザ操作に基づき設定される第１の通信パラメータおよび前記第１の通信手段により共有された第２の通信パラメータのいずれかを用いてネットワークを生成することを特徴とする請求項１から１０のいずれか１項に記載の通信装置。
【請求項１２】
前記通信装置は、ＤＨＣＰサーバとして機能し、前記第２の通信手段を介して前記外部装置にＩＰアドレスを割り当てることを特徴とする請求項１１に記載の通信装置。
【請求項１３】
前記第２の通信パラメータを共有することによって前記第２の通信手段による前記外部装置との通信を確立した場合、前記制御手段は、前記外部装置の種類または機能に応じて前記第２の通信パラメータを前記保持手段に保持させるか否かを切り替えることを特徴とする請求項１から１２のいずれか１項に記載の通信装置。
【請求項１４】
被写体を撮像して画像データを生成する撮像手段をさらに有し、
前記画像データは、前記第２の通信手段によって前記外部装置に送信され、前記第１の通信手段によって前記外部装置に送信されないことを特徴とする請求項１から１３のいずれか１項に記載の通信装置。
【請求項１５】
前記制御手段は、前記撮像手段により撮像するための撮像モードと、撮像した１つの画像データを一画面に表示するシングル再生モードと、撮像した複数の画像データを一画面に表示するマルチ再生モードとを含む複数のモードのうちのいずれかのモードで動作するよう前記通信装置を制御し、
前記複数のモードのうち、所定のモード中に共有された第２の通信パラメータを用いて前記第２の通信手段を介して前記外部装置と通信を確立する場合、前記制御手段は、当該通信の確立に用いた第２の通信パラメータを前記保持手段に保持しないように制御することを特徴とする請求項１４に記載の通信装置。
【請求項１６】
前記制御手段は、前記保持手段に保持されている通信パラメータを示す情報を表示部に表示するように制御し、
前記表示は、前記通信パラメータを示す情報を、前記第１の通信パラメータと前記第２の通信パラメータとが区別可能な態様で表示することを特徴とする請求項１から１５のいずれか１項に記載の通信装置。
【請求項１７】
前記通信パラメータを示す情報を選択する指示をユーザから受け付けた場合、前記制御手段は、前記保持手段が保持している通信パラメータを用いて前記第２の通信手段を用いた通信を開始するように制御することを特徴とする請求項１６に記載の通信装置。
【請求項１８】
前記第２の通信手段は、前記第１の通信手段よりも通信可能な距離が長いことを特徴とする請求項１から１７のいずれか１項に記載の通信装置。
【請求項１９】
外部装置と通信する第１の通信手段であって、前記第１の通信手段とは異なる第２の通信手段による前記外部装置との通信を確立するための通信パラメータを前記外部装置と共有する第１の通信手段と、受け付け手段により受け付けられるユーザ操作に基づき設定される第１の通信パラメータおよび前記第１の通信手段により共有された第２の通信パラメータのいずれかを用いて前記外部装置と通信する第２の通信手段と、前記第２の通信手段を用いた前記外部装置との通信で用いる通信パラメータを保持する保持手段と、を有する通信装置の制御方法であって、
前記第１の通信手段により共有された前記第２の通信パラメータを前記保持手段に保持させる場合、前記受け付け手段により受け付けられるユーザ操作に基づき設定される前記第１の通信パラメータと区別して保持させるように制御することを特徴とする通信装置の制御方法。
【請求項２０】
コンピュータを、請求項１乃至１８のいずれか１項に記載された通信装置の各手段として機能させるための、コンピュータが読み取り可能なプログラム。
【手続補正２】
【補正対象書類名】明細書
【補正対象項目名】発明の名称
【補正方法】変更
【補正の内容】
【発明の名称】通信装置及びその制御方法、プログラム
【手続補正３】
【補正対象書類名】明細書
【補正対象項目名】０００１
【補正方法】変更
【補正の内容】
【０００１】
本発明は、外部装置と通信可能な通信制御技術に関する。
【手続補正４】
【補正対象書類名】明細書
【補正対象項目名】０００８
【補正方法】変更
【補正の内容】
【０００８】
上記課題を解決するために、本発明の通信装置は、外部装置と通信する第１の通信手段であって、前記第１の通信手段とは異なる第２の通信手段による前記外部装置との通信を確立するための通信パラメータを前記外部装置と共有する第１の通信手段と、ユーザ操作を受け付ける受け付け手段と、前記受け付け手段により受け付けられるユーザ操作に基づき設定される第１の通信パラメータおよび前記第１の通信手段により共有された第２の通信パラメータのいずれかを用いて前記外部装置と通信する第２の通信手段と、前記第２の通信手段を用いた前記外部装置との通信で用いる通信パラメータを保持する保持手段と、前記第１の通信手段により共有された前記第２の通信パラメータを前記保持手段に保持させる場合、前記受け付け手段により受け付けられるユーザ操作に基づき設定される前記第１の通信パラメータと区別して保持させるように制御する制御手段と、を有する。